(57)【要約】【課題】軸受部の有効長を長くして回転軸の傾きを抑制し、軸の回転安定性や耐久性を向上させるファンモータの提供。【解決手段】ファン２が固定された回転軸６と、この回転軸６の一端部を軸支するハウジング３とを有し、ファン２側に設けられたロータ１０，１１と、ハウジング３側に設けられたステータ８とを対向配置し、回転軸６がその軸方向に抜け出ないように、回転軸６の他端部を受ける受け部１２を有する平板状のカバー部材４をハウジング３に固定した。【選択図】      図１
2005245172.tif 000002
【特許請求の範囲】
【請求項１】
ファンが取り付けられた回転軸と、前記回転軸の一端部を軸支するハウジングとを有し、前記ファン側に設けられたロータと、前記ハウジング側に設けられたステータとを対向配置したファンモータにおいて、
前記回転軸がその軸方向に抜け出ないように、前記回転軸の他端部を受ける受け部を有する平板状のカバー部材を前記ハウジングに取り付けたことを特徴とするファンモータ。
【請求項２】
前記カバー部材は、前記ハウジング側に係止される係止部と、空気を取り入れる孔部と、前記受け部から放射状に延びる複数のアーム部とを備えることを特徴とする請求項１に記載のファンモータ。
【請求項３】
前記受け部及びアーム部は、前記カバー部材における平板状の部位に設けられ、前記係止部は前記カバー部材の平板状の側縁部を折り曲げて形成されることを特徴とする請求項２に記載のファンモータ。
【請求項４】
前記回転軸の一端部は、ファンの中央部の端面より突出しており、この突出部が前記受け部に当たることにより前記回転軸が軸方向へ抜け出るのを抑えることを特徴とする請求項１乃至３のいずれか１項に記載のファンモータ。
【請求項５】
前記回転軸は、その他端部側にのみ段差部が形成され、当該段差部に前記ファンが取り付けられることを特徴とする請求項１乃至４のいずれか１項に記載のファンモータ。
【発明の詳細な説明】
【技術分野】
【０００１】
本発明は、小型電子機器などの冷却用に用いられる軸流ファンモータやブロアモータに関するものである。
【背景技術】
【０００２】
従来より、回転軸におけるファンが取り付けられた部位とは反対側の一端部に溝部や段差部などの形状部を設け、この形状部をクリップなどで係止することにより回転軸の抜け止めを施したファンモータが知られている。（例えば、特開２００２−０５８１９９号公報参照）。
【０００３】
また、回転軸に取り付けられたファンの上方にカバー部材を取り付け、このカバー部材おけるファンの直上方にファンの外径より小さい径の開口部を形成し、ファンが回転軸方向に抜け出ないようにしつつ、空気を取り入れるように構成されたものが知られている（例えば、特開平０９−１４９５９８号公報参照）。
【特許文献１】特開２００２−０５８１９９号公報
【特許文献２】特開平０９−１４９５９８号公報
【発明の開示】
【発明が解決しようとする課題】
【０００４】
しかしながら、上記特許文献１に記載の構成では、ファンが取り付けられた部位とは反対側の回転軸はラジアル方向に軸受部が設けられるため、クリップを配置するスペースを確保するために軸受部の有効長（回転軸と接触する部分）を短くせざるを得ず、その結果、回転軸が傾いて偏心することによる振動や異音の増加、軸受部の含浸部位の体積が小さくなることによる寿命の低下といったファンモータの重要な特性に関して不都合がある。
【０００５】
また、上記特許文献２に記載の構成では、カバー部材を抜け止めとして機能させるために、カバー部材とファンとをわずかな隙間で配置するので、落下などの衝撃でファンがカバー部材に当たって変形したり、回転軸の傾きによりファンがカバー部材に当たって異音を発生するなどの不都合がある。
【０００６】
本発明は、上記課題に鑑みてなされ、その目的は、軸受部の有効長を長くして回転軸の傾きを抑制し、軸の回転安定性や耐久性を向上させるファンモータを提供することである。
【課題を解決するための手段】
【０００７】
上述した課題を解決し、目的を達成するため、本発明のファンモータは、ファンが取り付けられた回転軸と、前記回転軸の一端部を軸支するハウジングとを有し、前記ファン側に設けられたロータと、前記ハウジング側に設けられたステータとを対向配置したファンモータにおいて、前記回転軸がその軸方向に抜け出ないように、前記回転軸の他端部を受ける受け部を有する平板状のカバー部材を前記ハウジングに取り付けたことを特徴とする。
【０００８】
また、上記構成において、前記カバー部材は、前記ハウジング側に係止される係止部と、空気を取り入れる孔部と、前記受け部から放射状に延びる複数のアーム部とを備えることを特徴とする。
【０００９】
また、上記構成において、前記受け部及びアーム部は、前記カバー部材における平板状の部位に設けられ、前記係止部は前記カバー部材の平板状の側縁部を折り曲げて形成されることを特徴とする。
【００１０】
また、上記構成において、前記回転軸の一端部は、ファンの中央部の端面より突出しており、この突出部が前記受け部に当たることにより前記回転軸が軸方向へ抜け出るのを抑えることを特徴とする。
【００１１】
また、上記構成において、前記回転軸は、その他端部側にのみ段差部が形成され、当該段差部に前記ファンが取り付けられることを特徴とする。
【発明の効果】
【００１２】
以上説明したように、本発明によれば、回転軸におけるファンが取り付けられた側とは反対側の抜け止めを廃止する一方、ファンが取り付けられた側の端部に抜け止めのための受け部を設けたことによって、軸受部の有効長を長くでき、回転軸の傾きを抑制し、軸の回転安定性や耐久性を向上させることができる。
【００１３】
また、落下などの衝撃により回転軸が軸方向への変位した場合、カバー部材の受け部とファンの上端面から突起した回転軸の先端部が当接するので、衝撃を受けてもファンがカバー部材に当たることがなく、ファンの変形などを防止できる。
【発明を実施するための最良の形態】
【００１４】
以下に、本発明の好適な一実施形態につき、添付の図面を参照して説明する。
【００１５】
尚、以下に説明する実施の形態は、本発明の実現手段としての一例であり、本発明は、その趣旨を逸脱しない範囲で下記実施形態を修正又は変形したものに適用可能である。
【００１６】
図１は、本発明に係る実施形態のファンモータの平面図（ａ）、断面図（ｂ）、及び左側面図（ｃ）である。
【００１７】
図１に示すように、本実施形態のブラシレス軸流ファンモータ１は、例えば、ノート型パーソナルコンピュータ、デジタルビデオカメラ、ＰＤＡなどの小型電子機器に搭載されるＣＰＵなどの電子部品の加熱防止用や他の加熱防止が必要な装置内に搭載され、ファン２を軸支する方形状のハウジング３と、このハウジング３の開放端側に取り付けられる方形平板状のカバー部材４とを備える。ハウジング３は、例えば、ＡＢＳ樹脂やポリプロピレン樹脂などを射出成形され、カバー部材４は、例えば、厚さ０．１〜０．３ｍｍ程度のステンレス素材をプレス順送により型抜きし、曲げ加工して成形される。
【００１８】
上記ハウジング３の中央部分には、上端が開口した筒状の軸受収容部５が立設されており、この軸受収容部５の内周面に回転軸６を軸支する軸受部７が収容される。軸受部７は、例えば金属部材に潤滑油が含浸されたすべり軸受であり、回転軸６におけるファン２が取り付けられていない側の第１端部６ａの軸方向側面部６ｄをラジアル方向に回転自在に軸支する。回転軸６の第１端部６ａは、凸状曲面に形成されており、軸受収容部５の底面部でスラスト方向に支持される。
【００１９】
上記ハウジング３における軸受収容部５の周囲には、ステータとしてのコイル巻線８と、このコイル巻線８に通電する回路基板９とが設けられている。また、ファン２におけるインペラ２ａを支持する支持部２ｂには、磁性体であるヨーク１０を介して永久磁石１１がステータに対向配置されている。そして、ステータのコイル巻線８に通電し、励磁される極性を反転させることによって、ロータであるヨーク１０と永久磁石１１によりファン２を回転駆動させる。
【００２０】
上記カバー部材４には、上記回転軸６の中心軸上に位置する受け部１２が設けられている。この受け部１２は、回転軸６がその軸方向（ファン側）に抜け出ないように、回転軸６におけるファン２が取り付けられた側の第２端部６ｃを受ける機能を有している。
【００２１】
上記カバー部材４は、ハウジング３側に係止される係止部１３と、空気を取り入れる孔部１４と、上記受け部１２から放射状に延びる複数（２本以上）のアーム部１５とを備える。上記受け部１２の外径φ１は、少なくとも回転軸６の第２端部６ｃの直径よりも大きく、回転軸６を中心として２〜４ｍｍ程度である。また、上記孔部１４の直径φ２は、ファン２の外径より大きく、回転軸６を中心として１０〜２０ｍｍ程度であり、空気を効率よく取り入れられるように構成されている。
【００２２】
上記受け部１２及びアーム部１５は、ファン２の上方であってカバー部材４における平板状の部位に略面一に設けられる。アーム部１５は、受け部１２を回転軸６の上方に保持する。係止部１３はカバー部材４の平板状の側縁部４ａを９０°に折り曲げて形成される。上記係止部１３はカバー部材４の対角方向に複数箇所（３箇所以上）に設けられ、ハウジング３の側壁部３ａに設けられた突起部１６に係合する孔部１３ａを備える。
【００２３】
上記カバー部材４は、その係止部１３をハウジングの突起部１６に合わせて、ハウジング３の開放端から装着され、係止部１３の弾性によって突起部１６に対する係合状態を保持する。よって、カバー部材４のハウジング３への装着が容易にでき、作業性が向上する。
【００２４】
回転軸６の第２端部６ｃは、ファン２におけるインペラ２ａの上端面（支持部２ｂの中央部の端面）より所定量ｔだけ突出しており、この突出部が上記受け部１２に当たるように構成したので回転軸６が軸方向へ抜け出るのを抑えつつ、落下などの衝撃により回転軸６が軸方向への変位した場合でも受け部１２が回転軸６の突出部に当接するので、ファン２がカバー部材４に当たることがなく、ファン２の変形などを防止できる。なお、突出部と受け部１２との隙間を調整することによって回転軸６の軸方向への最大変位量を決定できる。
【００２５】
上記回転軸６は、その第２端部側にのみ縮径した段差部（又は溝部）６ｂが形成され、当該段差部６ｂにファン２の支持部２ｂがカシメなどにより取り付けられる。よって、軸受部７側には段差部が不要となり、軸受部７との軸方向の接触長さを長くできる。
【００２６】
上記構成では、回転軸６におけるファン２が取り付けられた側とは反対側の抜け止めを廃止する一方、ファン２が取り付けられた側の第２端部上方に抜け止めのための受け部１２を設けたことによって、軸受部７を回転軸６の第１端部６ａ方向に長くして軸受部７と回転軸６との接触面積を大きくでき（軸受部７の軸方向の有効長を長くでき）るので、回転軸６の傾きを抑制し、モータ作動時の振動や騒音を低減できる共に、回転軸の回転安定性や耐久性を向上させることができる。
【００２７】
なお、本発明は、図示の回転軸６に平行に送風する軸流ファンタイプのファンモータのほか、軸に対して垂直方向に送風するブロワーファンタイプでも適用可能である。また、上記実施形態はブラシレスファンモータについてのみ述べたが、これに限定されず、種々の用途のモータに本発明は適用可能であることは言うまでもない。
【図面の簡単な説明】
【００２８】
【図１】本発明に係る実施形態のファンモータの平面図（ａ）、断面図（ｂ）、及び左側面図（ｃ）である。
【符号の説明】
【００２９】
１  ファンモータ
２  ファン
２ａ  インペラ
２ｂ  支持部
３  ハウジング
３ａ  側壁部
４  カバー部材
４ａ  側縁部
５  軸受収容部
６  回転軸
６ａ  第１端部
６ｂ  段差部
６ｃ  第２端部
６ｄ  側面部
７  軸受部
８  コイル巻線
９  回路基板
１０  ヨーク
１１  永久磁石
１２  受け部
１３  係止部
１４  孔部
１５  アーム部
１６  突起部
【図１】
2005245172.tif 000003